(57)【特許請求の範囲】
【請求項１】
表側扉２２に取り付けられる固定ケ−ス３に操作ハンドル４を枢軸１０によって出没回転可能に枢着し、裏側扉２３に取り付けられる受金ケース１６に受金ブロック１８を固着し、操作ハンドル４を固定ケース２に押し込み回転させるとき、受金ブロック１８に操作ハンドル４の弧状縁枠部４ｃを係合させることによって裏側扉２３を表側扉２２に引き付け施錠する一方、解錠時に操作ハンドル４の主体部分を固定ケース３の前面側に突出させるようにした引戸用密閉ロックハンドル装置において、
操作ハンドル４が施錠状態にあるとき固定ケース３内に隠れている一方、操作ハンドル４が解錠状態にあるとき固定ケース３外に露出する横断面Ｕ字形のトリガーレバー３０を、操作ハンドル４の前記主体部分内に収容し、該トリガーレバー３０を前記枢軸１０と直交方向に配置した軸ピン３１によって操作ハンドル４の側壁部４ｈに枢着し、解錠時にバネ３２の付勢によって前記側壁部４ｈの透孔２９から突出させたトリガーレバー３０の先端面３０ａを、固定ケース３の前面に対面させることを特徴とする引き戸用密閉ロックハンドル装置。
【発明の詳細な説明】
【０００１】
【発明が属する技術分野】
本発明は表裏２枚の引戸式扉に使用され、操作ハンドルの回転操作によって密閉状態で表側扉と裏側扉間の引き寄せ施錠するロックハンドル装置に関するものである。
【０００２】
【従来の技術】
従来の引戸における施錠装置では、表側扉が正規の閉鎖位置に来ない段階で、誤って操作ハンドルを押し込むと、操作ハンドルの背面側部分が裏側扉を突き押すことになり、操作ハンドルや裏側扉の損傷を招く危険性があった。
【０００３】
【発明が解決しようとする課題】
従って本発明の目的は、誤操作によって、操作ハンドルや裏側扉を損傷することがない、引戸用密閉ロックハンドル装置を提供することである。
【０００４】
【課題を解決するための手段】
以下、添付図面中の参照符号を用いて説明すると本発明の特徴は、表側扉２２に取り付けられる固定ケ−ス３に操作ハンドル４を枢軸１０によって出没回転可能に枢着し、裏側扉２３に取り付けられる受金ケース１６に受金ブロック１８を固着し、操作ハンドル４を固定ケース２に押し込み回転させるとき、受金ブロック１８に操作ハンドル４の弧状縁枠部４ｃを係合させることによって裏側扉２３を表側扉２２に引き付け施錠する一方、解錠時に操作ハンドル４の主体部分を固定ケース３の前面側に突出させるようにした引戸用密閉ロックハンドル装置において、
操作ハンドル４が施錠状態にあるとき固定ケース３内に隠れている一方、操作ハンドル４が解錠状態にあるとき固定ケース３外に露出する横断面Ｕ字形のトリガーレバー３０を、操作ハンドル４の前記主体部分内に収容し、該トリガーレバー３０を前記枢軸１０と直交方向に配置した軸ピン３１によって操作ハンドル４の側壁部４ｈに枢着し、解錠時にバネ３２の付勢によって前記側壁部４ｈの透孔２９から突出させたトリガーレバー３０の先端面３０ａを、固定ケース３の前面に対面させることである。
【０００５】
【発明の作用】
このように構成された引戸用密閉ロックハンドル装置では、解錠時に固定ケース３の前面側に突出している操作ハンドル４の主体部分を横に引くなどして、表側扉２２を正規の閉鎖位置まで水平移動させた後、該主体部分の一方の側面に突出しているトリガーレバー３０を透孔２９から操作ハンドル４の中空内に押し込み、トリガーレバー３０の先端面３０ａが固定ケース３の前面に当たらないようにする。
【０００６】
それから操作ハンドル４を枢軸１０を中心に回転させ、操作ハンドル４が固定ケース３内に没入するまで押し込むと、操作ハンドル４の弧状縁枠部４ｃが受金ケース１６に入り込み、受金ブロック１８に擦り合いながら係合する。この係合動作の過程において、前記した弧状縁枠部４ｃの形状によって裏側扉２３が表側扉２２に向かって引き寄せられ、表側扉２２と裏側扉２３が互いに引き付け施錠される。
【０００７】
表側扉２２を開放するには、操作ハンドル４の弧状縁枠部４ｃの末端部に指を掛けて、枢軸１０を中心に操作ハンドル４を固定ケ−ス３から引き出し回転させる。この引き出し回転によって、弧状縁枠部４ｃと受金ブロック１８との係合が外れるため、裏側扉２３に対する表側扉２２の締付け施錠が解除される。そのため、固定ケース３の前面側に突出している操作ハンドル４の主体部分を摘まむか、あるいは別途用意された引手を横に引くことによって、表側扉２２が開放操作される。
【０００８】
操作ハンドル４の主体分が固定ケース３の前面側に突出したときには、トリガーレバー３０はバネ３２の付勢によって瞬時に突出し、先端面３０ａが再び固定ケース３の前面部に対面する位置に来る。
【０００９】
【発明の実施の形態】
図示の引戸用密閉ロックハンドル装置では、固定ケース３は表側扉２２の受孔２２ａに前面側から嵌め込まれ、裏側から突き当てた取付板９を介してビス１４によって表側扉２２に締付け固着されている。固定ケース３の上部には錠前ユニット収容部３ａが形成されており、これに収容された錠前ユニット２４の側面受溝部２４ｂには、固定ケース３の側面凹部に嵌め込まれてビス１３によって固着されたセットプレート８の係止突起部８ａが係合している。これによって錠前ユニット２４は回転と抜取りを阻止されている。
【００１０】
錠前ユニット収容部３ａの底部に形成されたカム挿入孔３ｄには、錠前ユニット錠２４のロータ２４ａの先端部に嵌めたカム６が挿入されている。固定ケースの背面側に形成したロック板挿入溝３ｅには、基端部のカム溝５ｂにカム６の駆動部６ａを係合させたロック板５が挿入されている。固定ケ−ス３の背面にはカバ−プレ−ト７がビスによって締付け固着されている。
ロック板挿入溝３ｅの溝壁部にはこれと直交するようにクリックボール挿入孔３ｇが形成されており、これに挿入されたクリックボール１２は、圧縮バネ１１によってロック板５方向に移動付勢され、ロック板５の上下２個の位置決め溝５ｃに係脱する。
【００１１】
裏側扉２３にビス２５によって締付け固着される受金ケース用基板１７には、座金板２６を介して受金ケース１６が締付け固着されている。受金ケース１６の左右一方の内壁面には、前後方向の調整用スロット２０を通るビス１９によって受金ブロック１８が締め付け固着されている。
【００１２】
前記側壁部４ｇの内面には一対の軸受部４ｉが突出形成されており、トリガーレバー３０の軸ピン３１はこれら軸受部４ｉの軸孔に嵌挿されている。トリガーレバー３０は横断面がＵ字形に形成され、軸ピン３１は基端部の軸孔に嵌挿されている。トリガーレバー３０の付勢用バネ３２は捻りコイルバネで構成されており、コイル部３２ａが軸ピン３１に嵌められ、一方の直線端部３２ｂがトリガーレバー３０の内側面に当接し、他方の直線端部３２ｃが前記側壁部４ｇの内面に当接している。
【００１３】
軸孔４ａを曲率中心とする操作ハンドル４の弧状縁枠部４ｃは、図７に示したように前面壁部４ｅから先端角部４ｍに向かう程、曲率半径が減少するように形成されている。また、受金ブロック１８の錠止突起部１８ａと係合する部分においては、弧状縁枠部４ｃの横幅は先端角部４ｍに向かう程先細りのテーパー状に形成されている。
操作ハンドル４の軸孔４ａと同心に形成された環状溝４ｂにはＯ−リング１５が嵌め込まれている。枢軸１０の端部は、固定ケース３の左右側壁部に軸孔３ｆに出ている。
【００１４】
この引戸用密閉ロックハンドル装置では、前面壁部４ｅが固定ケース３の前面部と同一面に来るまで操作ハンドル４を押し込み回転させると、操作ハンドル４の弧状縁枠部４ｃが受金ブロック１８の錠止突起部１８ａに擦り合いながら係合する。これによって表側扉２２と裏側扉２３が互いに引き付け施錠され、扉のガタ付きがなくなる。また、表側扉２２を敷居やレールから外すために持ち上げようとしても、裏側扉２３に連結されているため、そのような企図は阻止される。
【００１５】
操作ハンドル４を固定ケ−ス３内に収納した後に、所定の鍵２７によって錠前ユニット２４のロータ２４ａを回転操作すると、ロータ先端部に連動装備したカム６が回転し、カム６の駆動部６ａがロック板５のカム溝５ｂの内壁面を押す。
そのため、ロック板５が下方移動して、ロック板５の先端錠止部５ａが操作ハンドル４の受孔４ｄに嵌り込む。これによって操作ハンドル４は固定ケース３に対して当該収納位置において拘束される。ロック板５が下方移動する過程で、クリックボール１２はロック板５の上側の位置決め溝５ｃから脱出して、下側の位置決め溝５ｃに係合する。
【００１６】
表側扉２２を開放するには、鍵２７によって錠前ユニット２４のロータ２４ａを回してロック板５を上方移動させて、ロック板５による操作ハンドル４の拘束を解除する。その後、操作ハンドル４の弧状縁枠部４ｃの末端部に当たる指掛け部４ｆに指を掛けて、枢軸１０を中心に操作ハンドル４を固定ケ−ス３から引き出し回転させる。この引き出し回転によって、弧状縁枠部４ｃと受金ブロック１８との係合が外れ、裏側扉２３に対する表側扉２２の締付け施錠が解除され、表側扉２２は開放操作可能な状態となる。
【００１７】
【発明の効果】
以上のように本発明の引戸用密閉ロックハンドル装置では、操作ハンドル４の主体部分に収容した横断面Ｕ字形のトリガーレバー３０は、操作ハンドル４が施錠状態にあるとき固定ケース３内に隠れている一方、操作ハンドル４が解錠状態にあるとき固定ケース３外に露出しているものであり、トリガーレバー３０が固定ケース３の外部に現れていることによって解錠状態であることが簡単に目視して確認でき、さらにまた、解錠状態においてはトリガーレバー３０の先端面３０ａが固定ケース３の前面に当接しているため、バネ３２の付勢に抗してトリガーレバー３０を操作ハンドル４内に積極的に押し込まなければ、操作ハンドル４を固定ケース３内に押し込めないため、従来装置のように誤操作による操作ハンドルや裏側扉の損傷事故の危険性がない。
【図面の簡単な説明】
【図１】本発明の一実施例に係る引戸用密閉ロックハンドル装置の正面図である。
【図２】該密閉ロックハンドルの右側面図である。
【図３】該密閉ロックハンドルの背面図である。
【図４】該密閉ロックハンドルの平面図である。
【図５】該密閉ロックハンドルの底面図である。
【図６】図１のＡ−Ａ線断面図である。
【図７】図１のＢ−Ｂ線断面図であり、施錠状態を示している。
【図８】図１のＢ−Ｂ線断面図であり、解錠状態を示している。
【図９】図８のＣ−Ｃ線断面図である。
【図１０】図７のＤ−Ｄ線断面図である。
【符号の説明】
３  固定ケ−ス
４  操作ハンドル
４ｂ  側壁部
４ｈ  側面壁板
４ｊ  ビス
４ｋ  内面側ボス部
５  ロック板
６  カム
７  カバープレ−ト
１０  枢軸
１２  クリックボ−ル
１６  受金ケ−ス
１８  受金ブロック
２２  表側扉
２３  裏側扉
２４  錠前ユニット
３０  トリガーレバー
【図１】
0003544199.tif 000002
【図２】
0003544199.tif 000003
【図３】
0003544199.tif 000004
【図４】
0003544199.tif 000005
【図５】
0003544199.tif 000006
【図６】
0003544199.tif 000007
【図７】
0003544199.tif 000008
【図８】
0003544199.tif 000009
【図９】
0003544199.tif 000010
【図１０】
0003544199.tif 000011